(57)【要約】【課題】送信先、ポーリング、同報、原稿枚数等の情報を、容易に有効活用することができるファクシミリ装置を提供する。【解決手段】原稿１１を移動する機構（ＡＤＦ１）を有するファクシミリ装置において、送信時に入力された送信先、ポーリング、同報、原稿枚数を含む各種の情報を原稿１１のヘツダー部に２次元バーコード１２として記録する２次元バーコード印字装置２と、２次元バーコード１２が印字された原稿を読み取るスキャナ３とを備えた。【選択図】        図１
2004343564.tif 000002
【特許請求の範囲】
【請求項１】
原稿を移動する機構を有するファクシミリ装置において、送信時に入力された送信先、ポーリング、同報、原稿枚数を含む各種の情報を原稿のヘツダー部に２次元バーコードとして記録する２次元バーコード印字装置と、２次元バーコードが印字された原稿を読み取るスキャナとを備えたことを特徴とするファクシミリ装置。
【請求項２】
原稿を移動する機構を有するファクシミリ装置において、送信時に入力された送信先、ポーリング、同報、原稿枚数、送信完了を含む各種の情報を原稿のフッター部に２次元バーコードとして記録する２次元バーコード印字装置と、２次元バーコードが印字された原稿を読み取るスキャナとを備えたことを特徴とするファクシミリ装置。
【請求項３】
請求項１または２のファクシミリ装置において、原稿のヘッダー部またはフッター部に複数個の２次元バーコードの記録を可能にし、同一原稿に前回と異なる情報を記録することを特徴とするファクシミリ装置。
【発明の詳細な説明】
【０００１】
【発明の属する技術分野】
本発明は、原稿を移動する機構を有するファクシミリ装置に関する。
【０００２】
【従来の技術】
ファクシミリ装置においては、送信時に、送信先、ポーリング、同報、原稿枚数等の各種情報を入力するのが一般的である。
【０００３】
また、類似の技術として、制御情報の記録された２次元バーコードに対処できるようにし、元の原稿等に対する表示や印刷を忠実に再現することのできるペーパーメディア装置を提供する特許文献１の「２次元バーコード及びこれを用いたペーパーメディア装置」が知られている。
【０００４】
【特許文献１】
特開平７−２９６０９９号公報
【０００５】
【発明が解決しようとする課題】
しかしながら、従来のファクシミリ装置においては、送信時に入力された送信先、ポーリング、同報、原稿枚数等の情報は送信したファクシミリ装置の内部には残るが、原稿には記録されなかった。また送信完了情報も済みスタンプ等で原稿には記録されるが、その情報の再利用は人手に頼るしかなかった。
【０００６】
本発明は、送信先、ポーリング、同報、原稿枚数等の情報を、容易に有効活用することができるファクシミリ装置を提供することを目的とする。
【０００７】
【課題を解決するための手段】
上記目的を達成するために、請求項１記載の発明は、原稿を移動する機構を有するファクシミリ装置において、送信時に入力された送信先、ポーリング、同報、原稿枚数を含む各種の情報を原稿のヘツダー部に２次元バーコードとして記録する２次元バーコード印字装置と、２次元バーコードが印字された原稿を読み取るスキャナとを備えたファクシミリ装置を最も主要な特徴とする。
【０００８】
請求項２記載の発明は、原稿を移動する機構を有するファクシミリ装置において、送信時に入力された送信先、ポーリング、同報、原稿枚数、送信完了を含む各種の情報を原稿のフッター部に２次元バーコードとして記録する２次元バーコード印字装置と、２次元バーコードが印字された原稿を読み取るスキャナとを備えたファクシミリ装置を最も主要な特徴とする。
【０００９】
請求項３記載の発明は、請求項１または２のファクシミリ装置において、原稿のヘッダー部またはフッター部に複数個の２次元バーコードの記録を可能にし、同一原稿に前回と異なる情報を記録するファクシミリ装置を主要な特徴とする。
【００１０】
【発明の実施の形態】
以下、本発明の実施の形態を図面に従って説明する。
図１は本発明の第１の実施の形態に係るファクシミリ装置の概略構成図、図２は図１のファクシミリ装置における送信時の諸情報をヘッダー部に記録した原稿の例を示す図である。
【００１１】
本ファクシミリ装置は、ＡＤＦ１、２次元バーコード印字装置２、スキャナ３を備える。ＡＤＦ１にセットされた原稿１１は、オペレータが送信時の諸情報（送信先、ポーリング、同報、原稿枚数等の情報）を入力後フィードされ、ヘッダー部が２次元バーコード印字装置２に達した時点で、原稿１１に送信時の諸情報を２次元バーコード１２として記録後、ファクシミリ送信が行われる。
【００１２】
同一原稿を再度送信する場合は、原稿ヘッダー部に記録された２次元バーコード１２をスキャナ３で読み込み、ファクシミリの再送信、ファクシミリ装置への宛先の登録等を行う。図２において符号１３は原稿通紙方向を示す。
【００１３】
図３は本発明の第２の実施の形態に係るファクシミリ装置の概略構成図、図４は図３のファクシミリ装置における送信時の諸情報をフッター部に記録した原稿の例を示す図である。
【００１４】
本ファクシミリ装置は、ＡＤＦ１、２次元バーコード印字装置２、スキャナ３を備える。ここで２次元バーコード印字装置２は、図１に示す第１の実施の形態では、給紙部側に配置されているが、図３に示す第２の実施の形態では、排紙部側に配置されている。
【００１５】
ＡＤＦ１にセットされた原稿１１は、オペレータが送信時の諸情報（送信先、ポーリング、同報、原稿枚数等の情報）を入力後ファクシミリ送信され、フッター部が２次元バーコード印字装置２に達した時点で、送信時の諸情報や送信完了情報を原稿１１に２次元バーコード１２として記録する。
【００１６】
同一原稿を再度送信する場合は、原稿フッター部に記録された２次元バーコード１２をスキャナ３で読み込み、不達原稿のみのファクシミリの再送信、ファクシミリ装置への宛先の登録等を行う。
【００１７】
図５は送信時の諸情報をヘッダー部に複数記録した原稿の例を示す図である。最初に原稿１１を送信した時に、原稿１１に２次元バーコード１２−１を記録し、同一原稿を異なる送信先に送信した時に、原稿１１に２次元バーコード１２−２を記録し、再び同一原稿を異なる送信先に送信した時に、原稿１１に２次元バーコード１２−３を記録する、というように２次元バーコード１２を順次記録していく。
【００１８】
同一原稿をスキャナ３で読み込み、原稿ヘッダー部に記録された２次元バーコード１２−１〜１２−３を選択して、ファクシミリの再送信、ファクシミリ装置への宛先の登録、不達原稿のみの再送信等を行う。送信時の諸情報をフッター部に複数記録した原稿についても同様である。
【００１９】
【発明の効果】
請求項１のファクシミリ装置は、送信時に入力された送信先、ポーリング、同報、原稿枚数等の情報を、スキャナに設けた２次元バーコード印字装置を用い原稿のヘッダー部に２次元バーコードとして記録しているので、同一原稿をスキャナで読み取ることで簡単にヘッダー部に記録されたデータを基にファクシミリの再送信、ファクシミリ装置への宛先の登録を行うことができる。
【００２０】
請求項２のファクシミリ装置は、送信時に入力された送信先、ポーリング、同報、原稿枚数や送信完了等の情報を、スキャナに設けた印字装置を用い原稿のフッターに２次元バーコードとして記録しているので、同一原稿をスキャナで読み取ることで簡単にフッター部に記録されたデータを基にファクシミリの再送信、ファクシミリ装置への宛先の登録、不達原稿のみの再送信等を行うことができる。
【００２１】
請求項３のファクシミリ装置は、請求項１、２のファクシミリ装置において、原稿のヘッダー部またはフッター部に複数個の２次元バーコードの記録を可能にし、同一原稿に前回と異なる情報を記録しているので、スキャナで読み取ることで記録されたデータから必要なデータを選択することが可能になる。
【図面の簡単な説明】
【図１】本発明の第１の実施の形態に係るファクシミリ装置の概略構成図である。
【図２】図１のファクシミリ装置における送信時の諸情報をヘッダー部に記録した原稿の例を示す図である。
【図３】本発明の第２の実施の形態に係るファクシミリ装置の概略構成図である。
【図４】図３のファクシミリ装置における送信時の諸情報をフッター部に記録した原稿の例を示す図である。
【図５】送信時の諸情報をヘッダー部に複数記録した原稿の例を示す図である。
【符号の説明】
１  ＡＤＦ
２  ２次元バーコード印字装置
３  スキャナ
１１  原稿
１２  ２次元バーコード
【図１】
2004343564.tif 000003
【図２】
2004343564.tif 000004
【図３】
2004343564.tif 000005
【図４】
2004343564.tif 000006
【図５】
2004343564.tif 000007